(57)【要約】      （修正有）【課題】押板とカバーが非同時にスライドするステープラ改良構造を提供する。【解決手段】ステープル収容部２１の所定位置に、収容凹部２２を設けて吸着磁石４０を嵌合固定し、ステープル３０を該収容部にセット後、ステープルカバー２３をステープル押板２６と連動してスライドさせてステープルを打設部１１に向けて押圧して背テープルを被覆する際、ステープルカバーがステープルを十分に被覆する前にステープル押板がステープルに接して押圧しないように、ステープル手前の位置で上記磁石によりステープル押板を吸着停止させてステープルカバーのみスライドさせ、ステープルカバーが所定の位置に達して後、スプリング２４が磁力に勝ってステープル押板をスライドさせてステープルに接するようにする。【選択図】図１
0003112145.tif 000002
【実用新案登録請求の範囲】
【請求項１】
ステープラ改良構造であって、前記ステープラに凹設したステープル収容部、該収納部にセットされたステープルを被覆保護するスライド可能なステープルカバー、該ステープルカバーとステープラ間に配置されて該ステープルカバーと連動すると共に、ステープルをその打設位置に押圧して移送するステープラ押板、及び該押板を押圧するスプリングとから構成されるステープラにおいて、
上記ステープル収容部に少なくとも一つの吸着磁石を設け、該収容部にセットされたステープルに向けて該ステープルカバーを押しこむとき、セットされたステープルに接する手前の第一位置に該磁石の磁力によりステープル押板を吸着保持してその押圧作用を抑止し、ステープルカバーのみスライドしてステープルを被覆する位置に前進せしめた第二位置において、該スプリングの押圧力が磁石の吸着力に勝ってその保持状態からステープル押板を開放してステーップルを押圧可能としたことを、特徴とするステープラ改良構造。
【請求項２】
前記ステープラ底端は、磁石収容凹部を設けて吸着磁石を嵌合固定してなることを特徴とする請求項１に記載のステープラ改良構造。
【請求項３】
前記ステープラは、本体に固設されることを特徴とする請求項１に記載のステープラ改良構造。
【請求項４】
前記ステープルカバーが、前記ステープラの第一位置にスライドする時、前記ステープラの収容部内の３分の１のステープルを被覆し、前記ステープル押板は、前記吸着磁石の作用により、前記ステープラの第一位置で保持され、ステープルカバーがステープルの約２分の１のを被覆する第二位置に達する時、前記ステープル押板は、前記磁石の吸着力から開放されてステープルに接する第二位置に達することを特徴とする請求項１に記載のステープラ改良構造。
【考案の詳細な説明】
【技術分野】
【０００１】
本考案は、ステープラ改良構造に関するものであって、特に、ステープル押板を磁石により吸着保持し、ステープラ中にセットされたステープルをステープルカバーが被覆保護する前にステープル押板がステープルを打設位置に向けて押圧することにより、ステープルがセット箇所から浮き上がってしまうことを防止する構造に関するものである。
【背景技術】
【０００２】
ステープラの使用方法は、まず、複数のステープルをステープラに挿入した後、ステープルカバーを押し込んで、ステープルを保護状態に覆い、ステープルが脱落するのを防止すると同時に、カバー内に設置されたステープル押板が、ステープルをステープル打設部に押圧供給するものである。
【０００３】
ステープラは、幅広く使用されている締結装置であり、図６で示されるように、ステープルをステープラに挿入した後、手で、ステープルカバーを打設部の方向に押し込む。公知のステープル押板とステープルカバーは、同一平面上にあり、一体となって連動するため、且つ、ステープルカバー内のステープル押板とステープル間に、空間があるため（使用者は、ステープルをステープラに全て充填する状態にしないので）、カバーを押し込む過程中、一体連動のステープル押板は、ステープルの最末端で停止し（ステープルカバーも相対位置である）、ステープルは、ステープラに接して後端のステープル押板の力を受け、ステープルの中間部が浮き上がって隆起したり、変形したりして、ステープルカバーを頂端まで円滑に推すことが不可能である。
【特許文献１】特開２００３−１３６４２８号公報
【特許文献２】特開平２−３０４７３号公報
【考案の開示】
【考案が解決しようとする課題】
【０００４】
本考案は、上述の問題点を改善するステープラ改良構造を提供することを目的とする。
【課題を解決するための手段】
【０００５】
本考案のステープラ改良構造は、公知のステープル押板とステープル保護カバーが一体となってスライドするため、ステープラ内のステープルが、ステープルカバーの被覆保護を受けない状態でステープル押板の押圧力を受けて浮き上りやすいために、円滑に、ステープラ保護ができない情況を改善するもので、本考案は、ステープラ収容部の所定位置に、収容凹部容を設けて吸着磁石を嵌合固定する。ステープルをセット後、ステープルカバーを押し込んでステープラ内のステープルを被覆して保護する位置L２までスライドすると、スプリングが吸着磁石のステープル押板を吸着力を超えてステープル押板がスライドして、ステープルの末端に接して所定の押圧力をステープルに及ぼす。
この状態で、カバーはステープラ内のステープルの大半をカバーして保護し、ステープルが収容部から浮き上がって隆起することを防止する。
【考案の効果】
【０００６】
ステープル押板とステープルカバーが非同時スライドする新規のステープラ構造が提供される。
【考案を実施するための最良の形態】
【０００７】
本考案のステープラ改良構造は、図１で示されるように、ステープラ本体１０とステープラ２０とからなり、本体１０前端は、ガイド部１１を設け、ガイド部１１の反対側に、垂直に握持部１２を延長して設ける。握持部１２の適所に、開閉部１３を有し、ガイド部１１の垂直端は、ステープル３０（図３を参照）を収容する長方形のステープラ２０に接続されている。
【０００８】
長方形凹状のステープラ２０は、内側に収容部２１を凹設し、ステープル３０をセットする。ステープラ２０上端は、ガイド部１１と連通し、ステープル３０は、ガイド部１１のステープル打ち部（図示しない）に送られる。収容部２１底面の所定位置に、収容凹部２２を設け、吸着磁石４０を嵌合固定する。ステープラ２０の両側は、軌道を形成し、ステープルを覆うカバー２３が自由にスライドできるようになっている。ステープルカバー２３外側部には、収容溝２３１を有し、スプリング２４を収容する。スプリング２４一端はカバー２３底端に固設された保護カバー２５に当接し、他端をステープラ２０とステープルカバー２３間に収容配置されたステープル押板２６に結合して、そのスプリングの作用によりステープルをガイド部に向けて押圧する。
【０００９】
図３で示されるように、所定数量のステープル３０が、ステープラ２０の収容部に挿入された後、手でカバー２３底端の保護カバー２５を押し込み、ステープルカバー２３を移動させてステープラ２０底端から、ガイド部１１の方向に向かって、L１までスライドする時（図４で示される）、ステープラ２０とカバー２３間のステープル押板２６が、収容凹部２２内の吸着磁石４０の作用を受けて、カバーから離れてステープラ２０底端のその位置で吸着停止すると共に、L１までスライドしたカバー２３は、ステープラ２０の収容部内の３分の１のステープル３０を覆う。
【００１０】
更に、図５を参照すると、ステープルカバー２３が更に進んでL２まで押し込まれると、カバー２３は、約２分の１のステープル３０を覆い、この時、スプリング２４がステープル押板２６を押圧する力は、吸着磁石４０のステープル押板２６に対する吸着力を超え、第一位置のステープル押板２６は、ステープル３０の最末端に接する第二位置まで押される。
【００１１】
しかし、ステープル一端とガイド部１１が接し、ステープルの他端がステープル押し板２６を受け、後半部分のステープル３０は、ステープルカバー２３に覆われて保護されているため、局部のステープル３０は、スプリングの押圧力の作用下で、ステープルが収容部から浮き上がって隆起したり、ステープル軸が変形することが生じにくく、カバー２３は、迅速、且つ、円滑に、ステープラ２０の保護作用をなして、後続の動作が容易になる。
【００１２】
本考案は、ステープラ２０の収容部２１の適切な箇所に、収容凹部２２を設けて吸着磁石４０を嵌合固定し、ステープルカバー２３とステープル押板２６が、スプリングを介して結合されていることにより、ステープラ２０の収容部２１にステープル３０をセット後、ステープルを保護するカバーをガイド部１１方向に押し込む際に、ステープル押板２６が磁石の吸着作用によりカバーより離れて静止し、次いで更に深くカバーを押し込むと圧縮されたスプリングの押圧力が勝って、ステープル押板は磁石の吸着状態から離れてステープルの末端に接して押圧力を及ぼす。
この状態で、ステープル保護カバーはステープルを覆って保護するため、ステープル押板の押圧力により、ステープル列が浮き上がるなどの支障を解消することができた。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の構造分解図である。
【図２】本考案の局部透視図である。
【図３】本考案のステープラがステープルを置入することを示す図である。
【図４】本考案のカバーがスライドすることを示す図である。
【図５】本考案のカバーがスライドすることを示す図である。
【図６】公知のカバーのスライド時に、ステープラ内のステープルが突起する状態を示した図である。
【符号の説明】
【００１５】
１０…本体
１１…ガイド部
１２…握持部
１３…開閉部
２０…ステープラ
２１…収容部
２２…収容凹部
２３…ステープルカバー
２３１…四角形槽
２４…スプリング
２５…保護カバー
２６…ステープル押板
３０…ステープル
４０…吸着磁石
【図１】
0003112145.tif 000003
【図２】
0003112145.tif 000004
【図３】
0003112145.tif 000005
【図４】
0003112145.tif 000006
【図５】
0003112145.tif 000007
【図６】
0003112145.tif 000008